(57)【要約】      （修正有）【課題】耐火性、保温性及び強度性に優れ、建築現場での装着作業が簡易になり、施工性に優れた実用性に富む耐力パネルを得ること。【解決手段】内装金属板２に断熱材３を接合し、断熱材３との間に通気層５を形成するようにスペーサを介して外壁材４を合わせて一体化させ、内壁金属板２の取付部２１，２２を支柱６１，６２に直接固着して支柱間に装着する。【選択図】図１
2005113412.tif 000002
【特許請求の範囲】
【請求項１】
木造建築の支柱間に取り付けられる耐力パネルであって、
このパネルは内壁金属板に断熱材を接合させ、
前記断熱材と外壁材との間に通気層を形成して一体化させてなる耐力パネル。
【請求項２】
前記内壁金属板は、長辺側縁部を内側に直角に折り曲げて支柱に固着する取付部を設けてなる請求項１記載の耐力パネル。
【請求項３】
前記内壁金属板は、長辺側縁部を内側直角に折り曲げると同時に先端縁部を内方に折り曲げて支柱に固着する取付部を設けてなる請求項１記載の耐力パネル。
【請求項４】
前記内壁金属板は、長辺側縁部を内側直角に折り曲げると同時に重合するように外方に折り曲げて支柱に固着する取付部を設けてなる請求項１記載の耐力パネル。
【請求項５】
前記内壁金属板は、支柱間に突出する凸面部を備え、長辺側縁部は支柱外面に固着する取付部を設けてなる請求項１記載の耐力パネル。
【請求項６】
前記内壁金属板は、支柱間に突出する複数の凸条部を設けてなる請求項１，２，３または４記載の耐力パネル。
【請求項７】
前記断熱材及び前記外壁材は、長辺側縁部を前記支柱外面に接合させてなる請求項２，３または６記載の耐力パネル。
【請求項８】
前記断熱材及び前記外壁材は、長辺側縁部を前記内壁金属板の長辺側縁部に接合させてなる請求項４または５記載の耐力パネル。
【請求項９】
前記内壁金属板には、下部に発熱手段を装着してなる請求項１ないし８いずれか記載の耐力パネル。
【請求項１０】
前記発熱手段は、前記通気層に温かい空気を通す電熱部材である請求項９記載の耐力パネル。
【請求項１１】
前記内壁金属板の上下端部にホールダウン金具を取り付けて支柱に固着する請求項１ないし１０いずれか記載の耐力パネル。
【発明の詳細な説明】
【技術分野】
【０００１】
本発明は、木造建築の際に用いる耐力パネルに関する。
【背景技術】
【０００２】
従来、木造建築における支柱間の壁材として、合板の裏側に硬質発泡ウレタン樹脂層を接着一体化した真壁用パネルが用いられていた。真壁用パネルは、通常、支柱間に取り付けるため木製の枠体が合板に取付けられ、この枠体の内側から支柱に向けて釘を打ち込むことにより支柱間に装着固定していた。
【０００３】
しかし、木材は硬質発泡ウレタン樹脂に比して断熱性に乏しいため、木製の枠体の部分で断熱性が低下することがあった。
【０００４】
これを改善するため、図９に示すように、内装板１０１、硬質発泡ウレタン樹脂層１０２及び金属板１０３を順次一体化させた耐力パネル１００が採用されている。この種のパネルは、木材を使用しないで金属板１０３に硬質発泡ウレタン樹脂層１０２を接合して使用するため、断熱性に優れ、支柱間に筋交を入れなくても強度のある耐力パネルにすることができた。
【０００５】
しかし、この種耐力パネルは、支柱に取り付けるための複数の枠体を耐力パネルに取り付けなければならず、取り付け構造が複雑になり、製造に手間がかかっていた。
【０００６】
また、耐力パネルに別の枠体を取り付けることにより、支柱と耐力パネルとの間に隙間が生じて保温性が低下していた。
【特許文献１】特開平１１−２９３８４２号公報
【発明の開示】
【発明が解決しようとする課題】
【０００７】
解決しようとする問題点は、耐力パネルを支柱に装着するための枠体の取り付け構造が複雑で製造に手間がかかること、保温性が劣ることである。
【０００８】
そこで、本発明は、木造建築の耐力パネルにおいて、支柱への装着を簡易にし、断熱効果によって保温性を向上させて実用性のある耐力パネルを提供することを目的としている。
【課題を解決するための手段】
【０００９】
請求項１記載の耐力パネルは、内壁金属板に断熱材を接合させ、前記断熱材と外壁材との間に通気層を形成して一体化させてなるものである。
【００１０】
請求項２記載の耐力パネルは、請求項１記載の耐力パネルにおいて、前記内壁金属板は、長辺側縁部を内側に直角に折り曲げて支柱に固着する取付部を設けてなることを特徴とする。
【００１１】
請求項３記載の耐力パネルは、請求項１記載の耐力パネルにおいて、前記内壁金属板は、長辺側縁部を内側直角に折り曲げると同時に先端縁部を内方に折り曲げて支柱に固着する取付部を設けてなることを特徴とする。
【００１２】
請求項４記載の耐力パネルは、請求項１記載の耐力パネルにおいて、前記内壁金属板は、長辺側縁部を内側直角に折り曲げると同時に重合するように外方に折り曲げて支柱に固着する取付部を設けてなることを特徴とする。
【００１３】
請求項５記載の耐力パネルは、請求項１記載の耐力パネルにおいて、前記内壁金属板は、支柱間に突出する凸面部を備え、長辺側縁部は支柱外面に固着する取付部を設けてなることを特徴とする。
【００１４】
請求項６記載の耐力パネルは、請求項１，２，３または４記載の耐力パネルにおいて、前記内壁金属板は、支柱間に突出する複数の凸条部を設けてなることを特徴とする。
【００１５】
請求項７記載の耐力パネルは、請求項１，２，３または４記載の耐力パネルにおいて、前記断熱材及び前記外壁材は、長辺側縁部を前記支柱外面に接合させてなることを特徴とする。
【００１６】
請求項８記載の耐力パネルは、請求項４または５記載の耐力パネルにおいて、前記断熱材及び前記外壁材は、長辺側縁部を前記内壁金属板の長辺側縁部に接合させてなることを特徴とする。
【００１７】
請求項９記載の耐力パネルは、請求項１ないし８いずれか記載の耐力パネルにおいて、前記内壁金属板には、下部に発熱手段を装着してなることを特徴とする。
【００１８】
請求項１０記載の耐力パネルは、請求項９記載の耐力パネルにおいて、前記発熱手段は、前記通気層に温かい空気を通す電熱部材であることを特徴とする。
【００１９】
請求項１１記載の耐力パネルは、請求項１ないし１０いずれか記載の耐力パネルにおいて、前記内壁金属板の上下端部にホールダウン金具を取り付けて支柱に固着することを特徴とする。
【発明の効果】
【００２０】
本発明の木造建築に用いる耐力パネルは、以下の効果が得られる。
（１）支柱に固着する取付部は、内壁金属板と一体化しているので、製造が簡易になり、建築現場での取り付け作業が容易になって工数が削減される。
（２）内壁金属板を使用し、その内壁金属板を直接支柱に固着するので、パネルとして十分な強度を維持することができ、耐火性にも富む。
（３）断熱材は、内壁金属板に接合されるとともに、長辺周縁部を支柱の外側に接合するので、支柱と耐力パネルとの間に隙間がなく保温性に優れ、さらに、支柱は耐力パネルで完全に塞がれるので外観が綺麗になる。
（４）通気層には温かい空気が通るので保温効果に優れ、内壁金属板には結露が発生しない。
（５）支柱の内側には耐力パネルの取付部のみが配置され、断熱材は支柱より外側に位置するので、室内が広くなる。
【発明を実施するための最良の形態】
【００２１】
本発明は、木造建築の際に支柱への装着が簡易であり、支柱間に強固で保温性に優れたパネルを装着できることを実現した。
【００２２】
以下に、添付図面により、本発明の耐力パネルの実施形態について説明する。図１は、本発明の耐力パネルの一実施例を示す斜視図であり、図２は、図１の耐力パネルを支柱間に装着した状態の横断面図である。図３は、内壁金属板の他の実施例を示す斜視図である。
【実施例１】
【００２３】
図１及び図２に示す耐力パネル１は、内壁金属板２に断熱材３を接合し、断熱材３と外壁材４との間に通気層５を設けて一体化させている。
【００２４】
内壁金属板２は、ステンレス鋼板、あるいは亜鉛鉄板からなり、長辺周縁部を内側に直角に折り曲げて取付部２１，２２を設ける。２つの取付部２１，２２の距離ｆは、支柱６１，６２間Ｌに略ぴったりと嵌まる長さである。支柱６１，６２に耐力パネル１を装着するには、取付部２１，２２に設けた複数の孔２１ａ，２２ａに釘・ねじ・ボルト等の固定部材を通して支柱６１，６２に固着する。
【００２５】
断熱材３は、硬質ウレタン樹脂や硬質ポリスチレン樹脂からなる。断熱材３の厚さによって断熱効果が変わるので、寒冷地では厚めにするなど、地域によって厚さを変えることができる。断熱材３と内壁金属板２との接合は、内壁金属板２に設ける複数の図示省略する突起によって保持される。
【００２６】
断熱材３は内壁金属板２に接合されるが、内壁金属板２には支柱６１，６２に固着する取付部２１，２２を設けるため、断熱材３の長辺側縁部は内壁金属板２より延出させる。その延出する長さは、支柱６１，６２の外面幅の半分であり、支柱６１，６２に装着する際に隣接する耐力パネル１１，１２との間に隙間ができないようになる。
【００２７】
外壁材４は、断熱材３にスペーサ７１，７２を介して取り付けられ、断熱材３と外壁材４との間には通気層５が形成される。スペーサ７１，７２は、断熱材３の長辺に沿って設けられ、外部に空気が漏れないように隙間なく接合され、通気層５を確実に維持するため中央部にもスペーサ７３を設ける。通気層５は、下方に設ける通気路で内側と通じるようになっていて内側の温かい空気を取り入れる。
【００２８】
図３は、内壁金属板２００において、長辺側縁部を内側に直角に折り曲げて形成した取付部２１０，２２０に先端縁部２１１，２２１をさらに内方直角に折り曲げて強度をもたせた構造を示すものである。
【００２９】
図１及び図２における通気層５は、温かい風を通すための空間であり、図３に示すように、内壁金属板２００の下方に発熱手段であるテープ状の電熱部材９を装着する。同時に、断熱材３には、電熱部材９が当接する部位に電熱部材９が覗く穴を穿けて温かい空気を通気層５に通す。
【００３０】
通気層５には、下方から温かい空気が上昇するので、保温効果が得られる。同時に、内壁金属板２自体は、電熱部材９からの熱伝導によって暖かくなるので保温効果が助長され、結露を防止する効果がある。
【００３１】
図３に示すように、先端縁部２１１，２２１を折り曲げることで、取付部２１０，２２０ははコ字状を形成するので、先端縁部２１１，２２１の折り曲げを長くすることで取付部２１０，２２０の内側に通気空間ができ、電熱部材９で温められた空気が内壁金属板２００の内側を通って保温性を向上させることができる。
【実施例２】
【００３２】
図４は、本発明の他の実施例を示す耐力パネルを支柱間に装着した状態の横断面図であり、図５は、図４の内壁金属板取付部の拡大図である。
【００３３】
耐力パネル１３の内壁金属板３００は、取付部３１０，３２０に変形を加えたもので、取付部３１０，３２０は、内壁金属板３００の長辺周縁部を内側に直角に折り曲げるとともに、重合するように外側に１８０度折り曲げ、さらに先端縁部の基部３３０と同一面になるように外方に直角に折り曲げて取付先端部３４０，３５０を形成する。取付先端部３４０，３５０は、支柱６１、６２の幅の半分の長さにして支柱６１，６２の外面に接合させる。支柱６１，６２への装着は、取付部３１０，３２０に設ける複数の孔に釘・ねじ・ボルト等の固定部材を通して固着される。
【００３４】
断熱材３は内壁金属板３００の外側に接合され、外壁材４との間に通気層５を形成する。この構造は、図１で示した耐力パネル１と同じであるため、細かい説明は省略する。
【実施例３】
【００３５】
図６は、本発明の他の実施例を示す耐力パネルを支柱間に装着した状態の横断面図である。
【００３６】
耐力パネル１４の内壁金属板４００において、基部には内方に浅く突出する凸面部４１０を形成し、その凸面部４１０は支柱６１，６２間に嵌る幅を備え、長辺側縁部４２０，４３０は支柱６１，６２の外面に接合される。長辺側縁部４２０，４３０は取付部を兼ねており、釘・ねじ・ボルト等の固定部材で支柱に固着される。
【００３７】
この実施例における耐力パネル１４の装着は、内壁金属板４００を支柱６１，６２に固着した後、断熱材３と外壁材４とで構成されたパネルを内壁金属板４００に接合して成される。
【実施例４】
【００３８】
図７は、内壁金属板に複数の凸条部を設けた状態の斜視図である。各凸条部５０１，５０２，・・・は内壁金属板５００の基部に短辺方向に向けて形成され、平行にして長辺方向に並ぶ。凸条部５０１，５０２，・・・の長さＬＬは、支柱間隔より短く、かつ幅Ｄは細くして内方に浅く突出させ、耐力パネルの補強をしている。内壁金属板５００の下方には、電熱部材９を装着している。
【００３９】
なお、凸条部５０１，５０２，・・・の幅を細くすると、内壁金属板５００の製造時に金型が安くできること、凸条部５０１，５０２，・・・間の距離を自在に設定して凸条部の数を加減できること等の利点がある。
【００４０】
したがって、凸条部５０１，５０２，・・・及び電熱部材９は、前述した内壁金属板１００，２００，３００，４００の全てに備えることができる。
【実施例５】
【００４１】
図８は、本発明において、ホールダウン金具を使用する状態の斜視図である。ホールダウン金具８０，９０は、耐力パネル１を図示しない横架材に強固に装着するために使用するもので、耐力パネル１の上下に取り付けるものである。ホールダウン金具８０，９０はコ字状を有し、両辺は内壁金属板２の取付部２１，２２の内側に嵌め込む長さに折り曲げられ、その折曲部８１，８２，９１，９２には複数の孔８３，８４，９３，９４が明けられる。耐力パネル１を支柱６１，６２に装着する際は、ホールダウン金具８０，９０とともに取付部２１，２２の複数の孔２１ａ，２２ａに釘・ねじ・ボルト等の固定部材を通して固着する。
【００４２】
ホールダウン金具８０，９０の上辺基部８７，９７には固定用孔８５，８６，９５，９６を穿けて、図示しない横架材に釘・ねじ・ボルト等の固定部材を用いて固着する。
【００４３】
なお、上述の実施例では、発熱手段として、内壁金属板の下方にテープ状の電熱部材を装着したが、発熱手段はこれに限られずに、オイルヒーターや温風器でもよく、または、電気によらないで太陽熱を利用したオイルヒーター等を装着してもよい。
【産業上の利用可能性】
【００４４】
本発明の耐力パネルは、通気層を形成して、発熱手段からの温かい空気を通したが、冷たい空気を通してクーリング作用に適用できる。
【図面の簡単な説明】
【００４５】
【図１】耐力パネルの実施例を示した説明図である。（実施例１）
【図２】図１の耐力パネルを支柱に装着した実施例を示した説明図である。
【図３】内壁金属板の実施例を示した説明図である。
【図４】耐力パネルの実施例を示した説明図である。（実施例２）
【図５】図４の取付部材を示した拡大図である。
【図６】耐力パネルを支柱に装着したの実施例を示した説明図である。（実施例３）
【図７】内壁金属板の実施例を示した説明図である。（実施例４）
【図８】ホールダウン金具を用いて耐力パネルを装着する説明図である。
【図９】従来の耐力パネルの説明図である。
【符号の説明】
【００４６】
１，１３，１４    耐力パネル
２，３００，４０，５００    内壁金属板
２１，２２，２１０，２２０，３１０，３２０    取付部
３    断熱材
４    外壁材
５    通気層
６    支柱
９    電熱部材
８０，９０    ホールダウン金具
【図１】
2005113412.tif 000003
【図２】
2005113412.tif 000004
【図３】
2005113412.tif 000005
【図４】
2005113412.tif 000006
【図５】
2005113412.tif 000007
【図６】
2005113412.tif 000008
【図７】
2005113412.tif 000009
【図８】
2005113412.tif 000010
【図９】
2005113412.tif 000011